(57)【要約】【課題】２画面表示が可能な画像表示装置において、解像感を維持しつつ色分離を低減する。【解決手段】表示パネル上には、隣接する画素表示部間に対応する位置にスリットが設けられる。入力画像として左用及び右用の入力画像が入力され、各画素データは縦及び横方向に交互に配置されて表示パネルに表示される。入力画像中の特定の入力画素データと、同一の入力画像において当該特定の入力画素データに上下方向又は左右方向に隣接する少なくとも１つの隣接入力画素データに基づいて、特定の入力画素データに対応する表示画素データが作成される。【選択図】図５
2008203486.tif 000002
【特許請求の範囲】
【請求項１】
縦方向及び横方向に配列された複数の画素表示部を有する表示パネルと、
前記表示パネル上に配置され、隣接する画素表示部間に対応する位置に設けられたスリットと、
第１の入力画像及び第２の入力画像を取得する画像入力部と、
前記第１の入力画像及び前記第２の入力画像を構成する入力画素データを、各々前記複数の画素表示部に縦方向及び横方向に交互に配置して前記表示パネルに表示する表示制御部と、を備え、
前記表示制御部は、前記第１及び第２の入力画像のそれぞれについて、前記入力画像中の特定の入力画素データと、同一の入力画像において当該特定の入力画素データに上下方向又は左右方向に隣接する少なくとも１つの隣接入力画素データと、に基づいて前記特定の入力画素データに対応する表示画素データを作成することを特徴とする画像表示装置。
【請求項２】
前記表示制御部は、前記特定の入力画素データと、同一の入力画像において当該特定の入力画素データに上下方向に隣接する２つの隣接入力画素データの和と、を所定の合成係数を用いて合成して前記表示画素データを作成することを特徴とする請求項１に記載の画像表示装置。
【請求項３】
前記表示制御部は、前記特定の入力画素データと、同一の入力画像において当該特定の入力画素データに上方向又は下方向に隣接する１つの隣接入力画素データと、を所定の合成係数を用いて合成して前記表示画素データを作成することを特徴とする請求項１に記載の画像表示装置。
【請求項４】
前記表示制御部は、前記特定の入力画素データと、同一の入力画像において当該特定の入力画素データに左右方向に隣接する２つの隣接入力画素データの和と、を所定の合成係数を用いて合成して前記表示画素データを作成することを特徴とする請求項１に記載の画像表示装置。
【請求項５】
前記表示制御部は、前記特定の入力画素データと、同一の入力画像において当該特定の入力画素データに左方向又は右方向に隣接する１つの隣接入力画素データと、を所定の合成係数を用いて合成して前記表示画素データを作成することを特徴とする請求項１に記載の画像表示装置。
【請求項６】
前記合成係数は、０．３以上０．５未満であることを特徴とする請求項１乃至５のいずれか一項に記載の画像表示装置。
【請求項７】
請求項１乃至６のいずれか一項に記載の画像表示装置を備えることを特徴とする電子機器。
【発明の詳細な説明】
【技術分野】
【０００１】
本発明は、２画面表示が可能な画像表示装置に関する。
【背景技術】
【０００２】
異なる観察位置に位置する観察者に異なる画像を表示する２画面表示装置や、３次元の立体画像を表示する立体画像表示装置が知られている。このような画像表示装置の１つの方式として、視差バリア（パララックスバリア）方式の画像表示装置がある。この画像表示装置は、例えば液晶表示パネルと、当該液晶表示パネルの表示面の観察者側に備えられた視差バリアを備える。視差バリアの所定の位置には、開口部がストライプ状に形成されている。例えば、観察位置の異なる観察者に対し夫々、異なる画像を提供する場合には、一方の観察者に一方の画像のみが入射すると共に、他方の観察者には他方の画像のみが入射するように視差バリアの開口部が形成されている。
【０００３】
１つの画像表示装置上に、異なる２つの画像をそれぞれ異なる観察者が観察するように表示する２画面画像表示装置の例が特許文献１及び２に記載されている。
【０００４】
また、右目用画像を表示する右目用画素と、左目用画像を表示する左目用画素を、表示装置の全ての行及び列において交互に並ぶように配置して画像を表示する立体表示装置の例が特許文献３に記載されている。
【０００５】
【特許文献１】特開２００４−１４０７００号公報
【特許文献２】特開２００６−２７６５６９号公報
【特許文献３】特許３０９６６１３号公報
【発明の開示】
【発明が解決しようとする課題】
【０００６】
視差バリアなどを用いた２画面表示装置においても、特許文献３のように２つの入力画像を行及び列方向に交互に配列して表示することができる。この場合、２つの入力画像として同一の入力画像を表示する１画面表示モードなどにおいて、観察方向が表示装置の真正面から左右にずれた場合に表示画像中の白線や白点などが色付いて見えることがある（以下、これを「色分離」と呼ぶ。）。
【０００７】
本発明は、２画面表示が可能な画像表示装置において、解像感を維持しつつ色分離を低減することを課題とする。
【課題を解決するための手段】
【０００８】
本発明の１つの観点では、画像表示装置は、縦方向及び横方向に配列された複数の画素表示部を有する表示パネルと、前記表示パネル上に配置され、隣接する画素表示部間に対応する位置に設けられたスリットと、第１の入力画像及び第２の入力画像を取得する画像入力部と、前記第１の入力画像及び前記第２の入力画像を構成する入力画素データを、各々前記複数の画素表示部に縦方向及び横方向に交互に配置して前記表示パネルに表示する表示制御部と、を備え、前記表示制御部は、前記第１及び第２の入力画像のそれぞれについて、前記入力画像中の特定の入力画素データと、同一の入力画像において当該特定の入力画素データに上下方向又は左右方向に隣接する少なくとも１つの隣接入力画素データと、に基づいて前記特定の入力画素データに対応する表示画素データを作成する。
【０００９】
上記の画像表示装置は、縦方向及び横方向に複数の画素表示部を有する表示パネルを備える。表示パネル上には、隣接する画素表示部間に対応する位置にスリットが設けられる。入力画像として第１及び第２の入力画像が入力され、これら入力画像は、複数の入力画素データにより構成される。第１の入力画像を構成する入力画素データと、第２の入力画像を構成する入力画素データは、縦及び横方向に交互に配置されて表示パネルに表示される。この配置は千鳥配置とも呼ばれる。例えば左用入力画像を第１の入力画像とし、右用入力画像を第２の入力画像とすれば、表示パネルの表示面に対して左側に位置する観察者には左用入力画像のみが見え、右側に位置する観察者には右用入力画像のみが見える。これにより、２画面表示が可能となる。一方、第１及び第２の入力画像として同一の入力画像を表示すれば、高精細の１画面表示も可能となる。
【００１０】
ここで、２画面表示及び１画面表示のいずれのモードにおいても、第１及び第２の入力画像のそれぞれについて、入力画像中の特定の入力画素データと、同一の入力画像において当該特定の入力画素データに上下方向又は左右方向に隣接する少なくとも１つの隣接入力画素データと、に基づいて、特定の入力画素データに対応する表示画素データが作成される。これにより、解像感を低下させることなく、白線や白点を表示した際の色分離を抑制することができる。
【００１１】
上記の画像表示装置の一態様では、前記表示制御部は、前記特定の入力画素データと、同一の入力画像において当該特定の入力画素データに上下方向に隣接する２つの隣接入力画素データの和と、を所定の合成係数を用いて合成して前記表示画素データを作成する。
【００１２】
上記の画像表示装置の他の一態様では、前記表示制御部は、前記特定の入力画素データと、同一の入力画像において当該特定の入力画素データに上方向又は下方向に隣接する１つの隣接入力画素データと、を所定の合成係数を用いて合成して前記表示画素データを作成する。
【００１３】
上記の画像表示装置の他の一態様では、前記表示制御部は、前記特定の入力画素データと、同一の入力画像において当該特定の入力画素データに左右方向に隣接する２つの隣接入力画素データの和と、を所定の合成係数を用いて合成して前記表示画素データを作成する。
【００１４】
上記の画像表示装置の他の一態様では、前記表示制御部は、前記特定の入力画素データと、同一の入力画像において当該特定の入力画素データに左方向又は右方向に隣接する１つの隣接入力画素データと、を所定の合成係数を用いて合成して前記表示画素データを作成する。
【００１５】
上記の画像表示装置の好適な例では、前記合成係数は０．３以上０．５未満とされる。合成係数をこの範囲に設定することにより、解像感を低下させることなく、色分離を抑制することができる。また、上記の画像表示装置は、各種の電子機器に適用することができる。
【発明を実施するための最良の形態】
【００１６】
以下、本発明を具体化した実施形態を図面に基づいて説明する。
【００１７】
［画像表示装置］
図１は、本実施形態に係る画像表示装置１００の断面図である。本実施形態に係る画像表示装置１００は、視差バリア方式の画像表示装置であり、例えば、異なる観察位置に位置する複数の観察者に異なる画像を表示する２画面表示を行うことができる。
【００１８】
図１に示すように、本実施形態に係る画像表示装置１００は、主に、視差バリア９と、液晶表示パネル２０と、照明装置１０より構成される。
【００１９】
液晶表示パネル２０は、基板１、２がシール材３を介して貼り合わされてなる構造を有し、基板１、２の間には、液晶４が封入されてなる。基板１の内面上には、１ドットのサブ画素ＳＧＬ、ＳＧＲ毎に画素電極５が形成されており、基板２の内面上には、カラーフィルタたるＲＧＢの各色の着色層６及び対向電極７が形成されている。ＲＧＢの各色の着色層６は、画素電極５に対応する位置に形成され、対向電極７は、基板２の全面に形成されている。
【００２０】
液晶表示パネル２０の背面側には、照明装置１０が設置される。照明装置１０は、液晶表示パネル２０に光を透過することにより照明する。なお、液晶表示パネル２０と照明装置１０の間には、下偏光板１２ｂが配置される。
【００２１】
液晶表示パネル２０の光の出射面側には、画像分離手段としての視差バリア９が配置される。視差バリア９は、所定の間隔でスリット９Ｓが設けられているパネルである。視差バリア９は、スリット９Ｓの設けられている部分のみが光を透過する透過領域として機能し、それ以外の部分は光を透過しない遮光領域として機能する。視差バリア９は、例えば、２枚の基板の間に液晶を挟持してなる構成を有し、当該液晶の配向を制御することで、スリット９Ｓとして機能する透過領域と、光を透過しない遮光領域とを形成する。スリット９Ｓは、液晶表示パネル２０における互いに隣接する着色層６又は画素電極５の間に対応して位置している。なお、視差バリア９の光の出射面側には、上偏光板１２ａが配置される。
【００２２】
照明装置１０より出射した光は、液晶表示パネル２０に入射し、着色層６を透過した後、液晶表示パネル２０より出射する。液晶表示パネル２０より出射した光は、スリット９Ｓを通して、異なる観察位置に位置する複数の観察者１１Ｌ、１１Ｒに入射する。
【００２３】
図１に示す画像表示装置１００において、観察者１１Ｌに入射する光が透過するＲＧＢの着色層６を着色層ＲｃＬ、ＧｃＬ、ＢｃＬとして示し、観察者１１Ｒに入射する光が透過するＲＧＢの着色層６を着色層ＲｃＲ、ＧｃＲ、ＢｃＲとして示す。従って、各色の着色層ＲｃＬ、ＧｃＬ、ＢｃＬを有するサブ画素ＳＧＬは、観察者１１Ｌに入射する光が透過する液晶表示パネル２０のＲＧＢの各色のサブ画素を夫々示し、各色の着色層ＲｃＲ、ＧｃＲ、ＢｃＲを有するサブ画素ＳＧＲは、観察者１１Ｒに入射する光が透過する液晶表示パネル２０のＲＧＢの各色のサブ画素を夫々示す。
【００２４】
例えば、破線で示すように、着色層ＧｃＬを透過した光は、着色層ＧｃＬ、ＢｃＲの間に対応して位置しているスリット９Ｓを通過することにより、観察者１１Ｌに入射する。一方、着色層ＢｃＲを透過した光は、当該スリット９Ｓを通過した後、観察者１１Ｒに入射する。
【００２５】
次に、液晶表示パネル２０の駆動回路の構成について述べる。図２は、本実施形態に係る画像表示装置１００における液晶表示パネル２０の平面図である。図１に示した画像表示装置１００における液晶表示パネル２０は、図２に示す液晶表示パネル２０の平面図の切断線Ａ−Ａ´に沿った断面図であり、駆動回路の図示を省略した図である。なお、図２では、紙面縦方向（列方向）をＹ方向と、また、紙面横方向（行方向）をＸ方向と規定する。
【００２６】
基板１の内面上には、複数の走査線２４、複数のデータ線２５がマトリクス状に配置されており、各走査線２４と各データ線２５の交点にはＴＦＴ素子（Thin film Transistor）などのスイッチング素子２６が設けられている。画素電極５は、スイッチング素子２６と電気的に接続されている。
【００２７】
正確には、基板１は、Ｘ方向及びＹ方向に対し、基板２よりも外側に張り出してなる領域を有している。基板１のＸ方向に張り出してなる領域の内面上には、走査線駆動回路２１が配置され、基板１のＹ方向に張り出してなる領域の内面上には、データ線駆動回路２２が配置されている。
【００２８】
Ｓ１、Ｓ２、Ｓ３・・・、Ｓｎ（ｎ：自然数）で示す各データ線２５は、Ｙ方向に対し延在すると共に、Ｘ方向に対し一定の間隔で配置されている。各データ線２５の一端は、データ線駆動回路２２と電気的に接続されている。また、データ線駆動回路２２は、ＦＰＣ２３と配線３２を介して電気的に接続されている。ＦＰＣ２３は、外部の電子機器と電気的に接続されており、データ線駆動回路２２は、ＦＰＣ２３を介して、当該外部の電子機器の制御部４０からの制御信号を受信する。データ線駆動回路２２は、当該制御信号を基に、Ｓ１、Ｓ２、Ｓ３・・・、Ｓｎで示す各データ線２５に対し、データ信号を供給する。
【００２９】
Ｇ１、Ｇ２、Ｇ３・・・、Ｇｍ（ｍ：自然数）で示す各走査線２４は、Ｘ方向に対し延在すると共に、Ｙ方向に対し一定の間隔で配置されている。各走査線２４の一端は、走査線駆動回路２１と電気的に接続されている。また、走査線駆動回路２１は、配線３３と電気的に接続され、配線３３は、外部の電子機器と電気的に接続されている。走査線駆動回路２１は、配線３３を介して、当該外部の電子機器の制御部４０からの制御信号を受信する。走査線駆動回路２１は、当該制御信号を基に、Ｇ１、Ｇ２、Ｇ３・・・、Ｇｍで示す各走査線２４に対し、走査信号を順次供給する。
【００３０】
対向電極７は、ＣＯＭで示す配線３４を介して、データ線駆動回路２２と電気的に接続されている。データ線駆動回路２２は、外部の電子機器からの制御信号を基に、配線３４を介して駆動信号を供給することにより、対向電極７を駆動する。
【００３１】
走査線駆動回路２１は、制御部４０からの制御信号を基に、Ｇ１、Ｇ２、Ｇ３・・・、Ｇｍの順に走査線２４を順次排他的に選択すると共に、選択した走査線２４には、走査信号を供給する。そして、データ線駆動回路２２は、制御部４０からの制御信号を基に、選択された走査線２４に対応する位置に存在する画素電極５に対し、表示内容に応じたデータ信号を、各データ線２５を介して供給する。これにより、当該画素電極５に電位が印加され、当該画素電極５と対向電極７の間の液晶４の液晶分子の配向状態が、非表示状態または中間表示状態に切り替えられ、液晶表示パネル２０に所望の画像を表示することができる。即ち、制御部４０は、制御信号を走査線駆動回路２１、データ線駆動回路２２に供給することで、複数の走査線２４及び複数のデータ線２５に供給する走査信号及びデータ信号を制御することができ、所望の画像を液晶表示パネル２０に表示することができる。
【００３２】
左入力画像が表示されるサブ画素ＳＧＬと、右入力画像が表示されるサブ画素ＳＧＲは、Ｘ方向及びＹ方向に交互に設定される。この画素構造を「千鳥配列構造」とも呼ぶ。従って、観察者１１Ｌに対して表示される画像は、サブ画素ＳＧＬにおける画素電極５と対向電極７の間の液晶４の液晶分子の配向状態が切り替えられることにより表示され、観察者１１Ｒに対して表示される画像は、サブ画素ＳＧＲにおける画素電極５と対向電極７の間の液晶４の液晶分子の配向状態が切り替えられることにより表示される。
【００３３】
制御部４０には、図示しない画像ソースから、左用入力画像ＶＬ及び右用入力画像ＶＲが入力される。画像表示装置１００は、２画面表示モードと１画面表示モードの両方で動作することができる。２画面表示モードは、左右の観察者に対して異なる画像を表示するモードである。具体的に、２画面表示モードにおいては、左用入力画像ＶＬは画像表示装置１００に対して左側にいる観察者１１Ｌに表示され、右用入力画像は画像表示装置１００に対して右側にいる観察者１１Ｒに表示される。一方、１画面表示モードは、１つの入力画像が画像表示装置１００上に表示されるモードである。この場合、左用入力画像データＶＬと右用入力画像データＶＲとして同一の入力画像が入力される。
【００３４】
なお、２画面表示モードと１画面表示モードの切り替えは、制御部４０が自動で行うこととしてもよく、ユーザの指定などによる外部からの切り替え信号ＳＷに基づいて行うこととしてもよい。
【００３５】
［画像表示方法］
次に、本実施形態に係る画像表示装置１００によって表示される表示画像について説明する。
【００３６】
（基本表示方法）
図３は、左用入力画像と右用入力画像を合成して表示画像を作成する方法を概念的に示す図である。ここで、左用入力画像は観察者１１Ｌに表示する画像であり、右用入力画像は観察者１１Ｒに表示する画像である。表示画像は、左用入力画像と右用入力画像を合成した画像であり、画像表示装置１００における液晶表示パネル２０の表示画面に表示される画像である。
【００３７】
図３の例において、左用入力画像は入力画素データＲｉ１Ｒ〜Ｂｉ４Ｒを含む。ここで、入力画素データとは、サブ画単位の画像データを示す。入力画素データにおける英字部Ｒｉ、Ｇｉ、Ｂｉは、ＲＧＢ各色の入力画素データであることを示す。図３において、右用入力画像は、第１〜第４の４つのカラー画素を含んでいる。第１のカラー画素はＲｉ１Ｒ、Ｇｉ１Ｒ、Ｂｉ１Ｒにより構成され、第２のカラー画素はＲｉ２Ｒ、Ｇｉ２Ｒ、Ｂｉ２Ｒにより構成されている。第３及び第４のカラー画素も同様である。同様に、左用入力画像は、第１〜第４の４つのカラー画素を含んでいる。第１のカラー画素はＲｉ１Ｌ、Ｇｉ１ＬＬ、Ｂｉ１Ｌにより構成され、第２のカラー画素はＲｉ２Ｌ、Ｇｉ２Ｌ、Ｂｉ２Ｌにより構成されている。第３及び第４のカラー画素も同様である。
【００３８】
制御部４０は、左用入力画像と右用入力画像より表示画像を作成する際、左用入力画像の入力画素データと右用入力画像の入力画素データを、サブ画素ＳＧＬとサブ画素ＳＧＲの夫々に対応するように合成する。即ち、先に述べたように、サブ画素ＳＧＬとサブ画素ＳＧＲは、液晶表示パネル２０上でＸ方向及びＹ方向について交互に設定されるので、制御部４０は、図３に示すように、左用入力画像の入力画素データと右用入力画像の入力画素データをサブ画素ＳＧＬとサブ画素ＳＧＲに対応して交互に合成する。
【００３９】
具体的には、制御部４０は、左用入力画像と右用入力画像より表示画像を作成する際、左用入力画像及び右用入力画像の入力画素データを行方向及び列方向において交互に取り出して、表示画像を構成する表示画素データとする。図３に示す例では、右用入力画像中の入力画素データＲｉ１Ｒ、Ｂｉ１Ｒ、Ｇｉ２Ｒ、Ｇｉ３Ｒ、Ｒｉ４Ｒ、Ｂｉ４Ｒが表示画像に用いられる。同様に、左用入力画像中の入力画素データＧｉ１Ｌ、Ｒｉ２Ｌ、Ｂｉ２Ｌ、Ｒｉ３Ｌ、Ｂｉ３Ｌ、Ｇｉ４Ｌが表示画像に用いられる。これらの入力画素データを図３に示すように列及び行方向に交互に配置することにより、表示画像が作成される。
【００４０】
制御部４０は、こうして作成された表示画像における入力画素データの階調値を基に各サブ画素ＳＧＬ、ＳＧＲの画素電極５に印加する電位を決定し、制御信号として走査線駆動回路２１及びデータ線駆動回路２２に供給する。
【００４１】
このようにして、図３に示す表示画像が画像表示装置１００の液晶表示パネル２０に表示される。図３に示す表示画像上には、視差バリア９のスリット９Ｓの位置も破線で示している。観察者１１Ｌは、表示画像をスリット９Ｓを通して見るので、表示画素データＧｉ１Ｌ、Ｒｉ２Ｌ、Ｂｉ２Ｌ、Ｒｉ３Ｌ、Ｂｉ３Ｌ、Ｇｉ４Ｌのみを見ることができ、左用入力画像を認識することができる。一方、観察者１１Ｒは、表示画像をスリット９Ｓを通して見るので、表示画素データＲｉ１Ｒ、Ｂｉ１Ｒ、Ｇｉ２Ｒ、Ｇｉ３Ｒ、Ｒｉ４Ｒ、Ｂｉ４Ｒのみを見ることができ、右用入力画像を認識することができる。
【００４２】
（色分離）
次に、色分離について説明する。上記の基本表示方法において、入力画像に白線や白点が含まれると、その部分に色分離が生じ、表示画像が部分的に色づいて見えるという不具合が発生しうる。これについて具体的に説明する。
【００４３】
図４に示すように、右用入力画像及び左用入力画像として、白黒の画素が上下及び左右に配置された画像が入力される場合を考える。この場合、基本表示方法によれば、図４の右上に示すように、右用入力画像と左用入力画像を構成する入力画素データは、上下左右に交互に配置される。この表示画像を正面から見た場合には、図４中の正面表示画像のように、観察者には白黒の画素が正しく配置されてみえる。
【００４４】
しかし、右側の観察者１１Ｒは、表示画像中の白画素については、図４の右上に示すようにＲ及びＢの表示画素しか見えないため、実際には白ではなくマゼンタがかった画素を見ることになる。同様に、左側の観察者１１Ｌは、Ｇの表示画素しか見えないため、実際には白ではなく緑の画素を見ることになる。このように、白線や白点などを表示したときには、本来は白であるはずの部分が色づいて見える現象、即ち色分離が生じる。この色分離は、上記の基本表示方法において、右用及び左用の入力画像データの半分しか使用していないことに起因している。よって、使用されていない隣接画素データを用いてレンダリングすることにより、色分離を抑制することができる。
【００４５】
そこで、本実施形態では、各色の表示画素データを、対応する位置の元々の入力画素データと、それに上下又は左右方向に隣接する少なくとも１つの画素データとを所定の合成係数を用いて合成して作成する。以下、第１乃至第４のレンダリング方法について順に説明する。なお、本発明の画像表示装置１００は、左用入力画像と右用入力画像として異なる画像を表示する２画面モード、及び、左用入力画像と右用入力画像として同一の画像を表示する１画面表示モードのいずれにおいても、下記の第１乃至第４のいずれか１つのレンダリング方法を採用して画像を表示することができる。
【００４６】
（第１のレンダリング方法）
図５は、第１のレンダリング方法を示す。図５の例においては、説明の便宜上、右用入力画像は６個のカラー画素により構成されており、左用入力画像も６個のカラー画素により構成されている。各カラー画素はＲＧＢの３つの入力画素データを有する。
【００４７】
第１のレンダリング方法では、ある入力画素データと、その入力画素データに上下方向に隣接する２つの入力画素データの和とを、所定の合成係数αで合成することにより、表示画素データを作成する。例えば、左用の表示画像データＲｏ３Ｌは以下の式により得られる。
【００４８】
Ｒｏ３Ｌ＝（１−α）Ｒｉ３Ｌ＋α（Ｒｉ１Ｌ＋Ｒｉ５Ｌ）／２
即ち、表示画素データＲｏ３Ｌは、その位置に対応する入力画素データＲｉ３Ｌと、その入力画素データＲｉ３Ｌの上側に隣接する入力画素データＲｉ１Ｌ及び下側に隣接する入力画素データＲｉ５Ｌの和とを、合成係数αで合成して作成される。
【００４９】
同様に、例えば右用の表示画像データＧｏ３Ｒは以下の式により得られる。
【００５０】
Ｇｏ３Ｒ＝（１−α）Ｇｉ３Ｒ＋α（Ｇｉ１Ｒ＋Ｇｉ５Ｒ）／２
即ち、表示画素データＧｏ３Ｒは、その位置に対応する入力画素データＧｉ３Ｒと、その入力画素データＧｉ３Ｒの上側に隣接する入力画素データＧｉ１Ｒ及び下側に隣接する入力画素データＧｉ５Ｒの和とを、合成係数αで合成して作成される。
【００５１】
但し、対象となる画素が入力画像データの端に位置する場合、当該入力画素データの上方向又は下方向には隣接する入力画素データは存在しない。その場合には、隣接する１つの入力画素データのみを上記の合成係数で合成して表示画素データを作成する。なお、図５においては、対象となる画素が入力データの中心に位置している場合（即ち端に位置していない場合）の各表示画素データの式を式（１−１）で示し、端に位置している場合の各表示画素データの式を式（１−２）及び（１−３）で示している。
【００５２】
ここで、合成係数αについて説明する。上記の式から理解されるように、合成係数α＝０の場合、表示画素データは、対応する位置の入力画素データと等しくなる。よって、合成係数α＝０とすると、上記のように色分離が発生する。一方、合成係数＝０．５の場合、表示画素データは、対応する位置の入力画素データに対して、その上下に位置する入力画素データの１／２を合成することとなる。これは、平滑化フィルタリングを施すのと等価であるため、色分離は減少するものの、表示画像の解像感が低下してしまう。例えば、１ライン毎の白黒の縞を表示した場合に、平滑化効果によりベタのグレー画像となってしまう。以上より、合成係数αは、０＜α＜０．５の範囲に設定することが望ましい。
【００５３】
さらに、発明者の実験による確認の結果、α＝０．４程度が最適であることがわかった。上記のように、色分離を防止する観点からはα＝０．５が最適であるが、人間のカラー画像に対する視覚感度は白黒（グレー）画像に対する感度より低いため、α＝０．４程度としても、色分離の低減効果は十分である。また、α＝０．４であれば、解像感の低下も抑えることができる。よって、合成係数は、０．３≦α＜０．５の範囲が好適であり、特にα＝０．４が最適である。なお、合成係数αの値は、ＲＧＢ各色に対して異なる値としてもよく、同一の値としてもよい。
【００５４】
（第２のレンダリング方法）
図６は、第２のレンダリング方法を示す。図６の例においては、説明の便宜上、右用入力画像は４個のカラー画素により構成されており、左用入力画像も４個のカラー画素により構成されている。各カラー画素はＲＧＢの３つの入力画素データを有する。
【００５５】
第２のレンダリング方法では、ある入力画素データと、その入力画素データの下側に隣接する１つの入力画素データとを、上記の合成係数αで合成することにより、表示画素データを作成する。例えば、右用の表示画像データＲｏ１Ｒは以下の式により得られる。
【００５６】
Ｒｏ１Ｒ＝（１−α）Ｒｉ１Ｒ＋α（Ｒｉ３Ｒ）
即ち、表示画素データＲｏ１Ｒは、その位置に対応する入力画素データＲｉ１Ｒと、その入力画素データＲｉ１Ｒの下側に隣接する入力画素データＲｉ３Ｒとを、合成係数αで合成して作成される。
【００５７】
他の表示画素データも同様に、対応する入力画素データと、その入力画素データの下側に隣接する入力画素データとを合成係数αで合成して作成される。図６においては、表示画像中の上段の表示画素データを作成する式を式（２−１）で示し、下段の表示画素データを作成する式を式（２−２）で示す。
【００５８】
上記の例では、表示画素データを、対応する入力画素データと、その下側に隣接する画素データとを合成係数αで合成して作成しているが、その代わりに、対応する入力画素データと、その上側に隣接する入力画素データとを合成αで合成して作成することとしてもよい。
【００５９】
なお、第２のレンダリング方法においても、合成係数αの好ましい値は第１のレンダリング方法と同様である。
【００６０】
（第３のレンダリング方法）
図７は、第３のレンダリング方法を示す。図７の例においては、説明の便宜上、右用入力画像は６個のカラー画素により構成されており、左用入力画像も６個のカラー画素により構成されている。各カラー画素はＲＧＢの３つの入力画素データを有する。
【００６１】
第３のレンダリング方法では、ある入力画素データと、その入力画素データに左右方向に隣接する２つの入力画素データとを、所定の合成係数αで合成することにより、表示画素データを作成する。例えば、左用の表示画像データＲｏ２Ｌは以下の式により得られる。
【００６２】
Ｒｏ２Ｌ＝（１−α）Ｒｉ２Ｌ＋α（Ｒｉ１Ｌ＋Ｒｉ３Ｌ）／２
即ち、表示画素データＲｏ２Ｌは、その位置に対応する入力画素データＲｉ２Ｌと、その入力画素データＲｉ２Ｌの左側に隣接する入力画素データＲｉ１Ｌ及び右側に隣接する入力画素データＲｉ３Ｌの和とを、合成係数αで合成して作成される。
【００６３】
他の表示画素データも同様に、対応する入力画素データと、その入力画素データの左右に隣接する２つの入力画素データの和とを合成係数αで合成して作成される。図７においては、表示画像中の中央のカラー画素を構成する表示画素データを作成する式を式（３）で示している。なお、第３のレンダリング方法の場合も、対象となる画素が入力画像データの端に位置する場合には、当該入力画素データの左方向又は右方向には隣接する入力画素データは存在しない。その場合には、隣接する１つの入力画素データのみを上記の合成係数αで合成して表示画素データを作成する。この場合考え方は第１のレンダリング方法の場合と同様であり、具体的な計算式は省略する。
【００６４】
なお、第２のレンダリング方法においても、合成係数αの好ましい値は第１のレンダリング方法と同様である。
【００６５】
（第４のレンダリング方法）
図８は、第４のレンダリング方法を示す。図８の例においては、説明の便宜上、右用入力画像は４個のカラー画素により構成されており、左用入力画像も４個のカラー画素により構成されている。各カラー画素はＲＧＢの３つの入力画素データを有する。
【００６６】
第４のレンダリング方法では、ある入力画素データと、その入力画素データの右側に隣接する１つの入力画素データとを、上記の合成係数αで合成することにより、表示画素データを作成する。例えば、右用の表示画像データＲｏ１Ｒは以下の式により得られる。
【００６７】
Ｒｏ１Ｒ＝（１−α）Ｒｉ１Ｒ＋α（Ｒｉ２Ｒ）
即ち、表示画素データＲｏ１Ｒは、その位置に対応する入力画素データＲｉ１Ｒと、その入力画素データＲｉ１Ｒの右側に隣接する入力画素データＲｉ２Ｒとを、合成係数αで合成して作成される。
【００６８】
他の表示画素データも同様に、対応する入力画素データと、その入力画素データの右側に隣接する入力画素データとを合成係数αで合成して作成される。図８においては、表示画像中の上段の表示画素データを作成する式を式（４−１）で示し、下段の表示画素データを作成する式を式（４−２）で示す。
【００６９】
上記の例では、表示画素データを、対応する入力画素データと、その右側に隣接する画素データとを合成係数αで合成して作成しているが、その代わりに、対応する入力画素データと、その左側に隣接する入力画素データとを合成αで合成して作成することとしてもよい。
【００７０】
なお、第４のレンダリング方法においても、合成係数αの好ましい値は第１のレンダリング方法と同様である。
【００７１】
以上のように、１画面表示モードにおいては、適切な合成係数αを用いて第１乃至第４のレンダリング方法のいずれかを採用することにより、表示画像の解像感を低下させることなく、色分離を抑制することができる。
【００７２】
［表示処理］
図９は、画像表示装置１００による表示処理のフローチャートである。まず、制御部４０は、左用入力画像データＶＬ及び右用入力画像データＶＲを取得し（ステップＳ１１）、次に、表示モードを決定する（ステップＳ１２）。具体的には、制御部４０は、１画面表示モードと２画面表示モードのいずれが選択されているかを判定する。  次に、制御部４０は、ステップＳ１２で決定された表示モードにおける右用及び左用入力画像を用いて、上述の第１〜第４のレンダリング方法のいずれかにより表示画像を構成する表示画素データを作成し（ステップＳ１３）、各表示画素データを液晶表示パネル２０に表示する（ステップＳ１４）。
【００７３】
[電子機器]
次に、上述した各実施形態に係る画像表示装置１００を適用可能な電子機器の具体例について図１０を参照して説明する。
【００７４】
まず、各実施形態に係る画像表示装置１００を、可搬型のパーソナルコンピュータ（いわゆるノート型パソコン）の表示部に適用した例について説明する。図１０は、このパーソナルコンピュータの構成を示す斜視図である。同図に示すように、パーソナルコンピュータ７１０は、キーボード７１１を備えた本体部７１２と、本発明に係る液晶表示装置１００等を適用した表示部７１３とを備えている。
【００７５】
また、各実施形態に係る画像表示装置１００は、液晶テレビや、カーナビゲーション装置の表示部に適用されるのが特に好適である。例えば、カーナビゲーション装置の表示部に本実施形態に係る画像表示装置１００を用いることにより、運転席にいる観察者に対しては、地図の画像を表示し、助手席にいる観察者に対しては、映画などの映像を表示することができる。
【００７６】
なお、各実施形態に係る画像表示装置１００等を適用可能な電子機器としては、上述したものの他にも、ビューファインダ型・モニタ直視型のビデオテープレコーダ、ページャ、電子手帳、電卓、携帯電話、ワードプロセッサ、ワークステーション、テレビ電話、ＰＯＳ端末、ディジタルスチルカメラなどが挙げられる。
【図面の簡単な説明】
【００７７】
【図１】本実施形態に係る画像表示装置の断面図である。
【図２】本実施形態に係る画像表示装置における液晶表示パネルの平面図である。
【図３】２画面表示モードにおける表示画像の作成方法を示す。
【図４】１画面表示モードにおける色分離について説明する図である。
【図５】第１のレンダリング方法を説明する図である。
【図６】第２のレンダリング方法を説明する図である。
【図７】第３のレンダリング方法を説明する図である。
【図８】第４のレンダリング方法を説明する図である。
【図９】画像表示処理のフローチャートである。
【図１０】本発明の画像表示装置を適用した電子機器の例である。
【符号の説明】
【００７８】
５  画素電極、  ７  対向電極、  ９  視差バリア、  １０  照明装置、  １１Ｌ、１１Ｒ  観察者、  ２１  走査線駆動回路、  ２２  データ線駆動回路、  ２３  ＦＰＣ、  ２４  走査線、  ２５  データ線、  ２６  スイッチング素子、  ２０  液晶表示パネル、  ４０  制御部、  １００  画像表示装置
【図１】
2008203486.tif 000003
【図２】
2008203486.tif 000004
【図３】
2008203486.tif 000005
【図４】
2008203486.tif 000006
【図５】
2008203486.tif 000007
【図６】
2008203486.tif 000008
【図７】
2008203486.tif 000009
【図８】
2008203486.tif 000010
【図９】
2008203486.tif 000011
【図１０】
2008203486.tif 000012